(57)【特許請求の範囲】
【請求項１】
印刷装置に送信すべき印刷データを生成する情報処理装置であって、
アプリケーションにより生成された印刷すべきデータを中間コード形式の印刷ジョブに変換し、該印刷すべきデータのレイアウト情報と関連付けて一時保存する中間コード変換手段と、
前記中間コード変換手段により変換された複数の異なる印刷すべきデータに対応する複数の中間コード形式の印刷ジョブを結合して１つの結合ジョブにする結合指示をする結合指示手段と、
前記結合指示手段により複数の印刷ジョブを１つの結合ジョブにする結合指示がなされた場合に、複数の印刷ジョブのレイアウト情報を含むジョブ設定情報に基づいて、前記複数の印刷ジョブのページレイアウトを維持している前記結合ジョブのレイアウト情報を含むジョブ出力用設定情報を生成する結合ジョブ情報生成手段と、
前記結合ジョブに対してレイアウトを統一する指示がなされたか判定する判定手段と、
前記判定手段によりレイアウトを統一する指示がなされたと判定された場合に、前記結合ジョブに含まれる複数の印刷ジョブのページレイアウトが統一されるように、前記ジョブ出力用設定情報を編集する編集手段とを有し、
前記レイアウトを統一する指示がなされた場合には、前記ジョブ出力用設定情報に基づいて、複数の印刷ジョブのページレイアウトが統一された結合ジョブを生成し、前記レイアウトを統一する指示がなされない場合には、前記ジョブ出力用設定情報に基づいて、複数の印刷ジョブのページレイアウトの維持している結合ジョブを生成することを特徴とする情報処理装置。
【請求項２】
前記結合ジョブ情報生成手段は、複数の印刷ジョブのレイアウト情報に基づいて、物理ページに割り付けられる論理ページが特定できるように前記結合ジョブのレイアウト情報を物理ページ単位に生成することを特徴とする請求項１記載の情報処理装置。
【請求項３】
前記結合ジョブのレイアウト情報を統一する統一指示をするレイアウト統一指示手段を更に有し、
前記判定手段は、前記レイアウト統一指示手段からの統一指示が入力されることにより、前記結合ジョブに対してレイアウトを統一する指示がなされたと判定することを特徴とする請求項１または２に記載の情報処理装置。
【請求項４】
前記編集手段は、レイアウトを統一する指示がなされたと判定された場合に、前記結合ジョブのレイアウト情報を所定のレイアウト情報に統一して、前記ジョブ出力用設定情報を編集することを特徴とする請求項１乃至３のいずれかに記載の情報処理装置。
【請求項５】
前記編集手段は、レイアウトを統一する指示がなされたと判定された場合に、前記結合ジョブのレイアウト情報を、前記結合ジョブ内の最初の物理ページに対応する印刷ジョブのレイアウト情報に統一して、前記ジョブ出力用設定情報を編集することを特徴とする請求項１乃至３のいずれかに記載の情報処理装置。
【請求項６】
前記結合ジョブ情報生成手段は、前記結合ジョブの論理ページ数をカウントし、レイアウト情報に基づいて物理ページにおける論理ページの配置を物理ページ毎に決定することを特徴とする請求項１乃至５のいずれかに記載の情報処理装置。
【請求項７】
前記編集手段は、レイアウトを統一する指示がなされたと判定された場合に、複数の印刷ジョブ同士のページ詰処理に関する設定を取得して、前記ジョブ出力用設定情報を編集することを特徴とする請求項１乃至６のいずれかに記載の情報処理装置。
【請求項８】
同一の物理ページに論理ページを詰める詰め配置指示と、同一の物理ページの裏面が空いている場合に裏面に論理ページを詰める裏面詰め配置指示と、元の印刷ジョブが異なれば常に物理ページを変更する詰め配置しない指示のいずれかを指示させる詰め配置指示手段を更に有することを特徴とする請求項１乃至７のいずれかに記載の情報処理装置。
【請求項９】
前記結合ジョブのプレビューを表示するよう制御するプレビュー制御手段を更に有することを特徴とする請求項１乃至８のいずれかに記載の情報処理装置。
【請求項１０】
前記一時保存された中間データ形式のデータに基づいて、前記印刷装置に送信すべき印刷データを生成する印刷データ生成手段を更に有することを特徴とする請求項１乃至９のいずれかに記載の情報処理装置。
【請求項１１】
前記一時保存された中間データ形式のデータをＯＳの描画手段で解釈可能な描画命令に変換して出力する描画命令生成手段と、
前記アプリケーションからＯＳの描画手段を介して受け取った印刷命令は前記中間データ変換手段に渡し、前記描画命令生成手段からＯＳの描画手段を介して受け取った印刷命令は前記印刷データ生成手段に渡す印刷命令割り振り手段と、
を更に有することを特徴とする請求項１０記載の情報処理装置。
【請求項１２】
前記描画命令はＧＤＩ関数であり、前記印刷命令はＤＤＩ関数であり、前記印刷データはプリンタ言語であることを特徴とする請求項１１記載の情報処理装置。
【請求項１３】
印刷装置に送信すべき印刷データを生成する情報処理装置における情報処理方法であって、
アプリケーションにより生成された印刷すべきデータを中間コード形式の印刷ジョブに変換し、該印刷すべきデータのレイアウト情報と関連付けて一時保存する中間コード変換工程と、
前記中間コード変換工程により変換された複数の異なる印刷すべきデータに対応する複数の中間コード形式の印刷ジョブを結合して１つの結合ジョブにする結合指示をする結合指示工程と、
前記結合指示工程により複数の印刷ジョブを１つの結合ジョブにする結合指示がなされた場合に、複数の印刷ジョブのレイアウト情報を含むジョブ設定情報に基づいて、前記複数の印刷ジョブのページレイアウトを維持している前記結合ジョブのレイアウト情報を生成する結合ジョブ情報生成工程と、
前記結合ジョブに対してレイアウトを統一する指示がなされたか判定する判定工程と、
前記判定工程によりレイアウトを統一する指示がなされたと判定された場合に、前記結合ジョブに含まれる複数の印刷ジョブのページレイアウトが統一されるように、前記ジョブ出力用設定情報を編集する編集工程とを含み、
前記レイアウトを統一する指示がなされた場合には、前記ジョブ出力用設定情報に基づいて、複数の印刷ジョブのページレイアウトが統一された結合ジョブを生成し、前記レイアウトを統一する指示がなされない場合には、前記ジョブ出力用設定情報に基づいて、複数の印刷ジョブのページレイアウトの維持している結合ジョブを生成することを特徴とする情報処理方法。
【請求項１４】
前記結合ジョブ情報生成工程は、複数の印刷ジョブのレイアウト情報に基づいて、物理ページに割り付けられる論理ページが特定できるように前記結合ジョブのレイアウト情報を物理ページ単位に生成することを特徴とする請求項１３記載の情報処理方法。
【請求項１５】
前記結合ジョブのレイアウト情報を統一する統一指示をするレイアウト統一指示工程を更に含み、
前記判定工程は、前記レイアウト統一指示工程からの統一指示が入力されることにより、前記結合ジョブに対してレイアウトを統一する指示がなされたと判定することを特徴とする請求項１３または１４に記載の情報処理方法。
【請求項１６】
前記編集工程は、レイアウトを統一する指示がなされたと判定された場合に、前記結合ジョブのレイアウト情報を所定のレイアウト情報に統一して、前記ジョブ出力用設定情報を編集することを特徴とする請求項１３乃至１５のいずれかに記載の情報処理方法。
【請求項１７】
前記編集工程は、レイアウトを統一する指示がなされたと判定された場合に、前記結合ジョブのレイアウト情報を、前記結合ジョブ内の最初の物理ページに対応する印刷ジョブのレイアウト情報に統一して、前記ジョブ出力用設定情報を編集することを特徴とする請求項１３乃至１５のいずれかに記載の情報処理方法。
【請求項１８】
前記結合ジョブ情報生成工程は、前記結合ジョブの論理ページ数をカウントし、レイアウト情報に基づいて物理ページにおける論理ページの配置を物理ページ毎に決定することを特徴とする請求項１３乃至１７のいずれかに記載の情報処理方法。
【請求項１９】
前記編集工程は、レイアウトを統一する指示がなされたと判定された場合に、複数の印刷ジョブ同士のページ詰処理に関する設定を取得して、前記ジョブ出力用設定情報を編集することを特徴とする請求項１３乃至１８のいずれかに記載の情報処理方法。
【請求項２０】
前記詰め配置指示工程は、同一の物理ページに論理ページを詰める詰め配置指示と、同一の物理ページの裏面が空いている場合に裏面に論理ページを詰める裏面詰め配置指示と、元の印刷ジョブが異なれば常に物理ページを変更する詰め配置しない指示のいずれかを指示させる詰め配置指示工程を更に含むことを特徴とする請求項１３乃至１９のいずれかに記載の情報処理方法。
【請求項２１】
前記結合ジョブのプレビューを表示するよう制御するプレビュー制御工程を更に含むことを特徴とする請求項１３乃至２０のいずれかに記載の情報処理方法。
【請求項２２】
前記一時保存された中間データ形式のデータに基づいて、前記印刷装置に送信すべき印刷データを生成する印刷データ生成工程を更に含むことを特徴とする請求項１３乃至２１のいずれかに記載の情報処理方法。
【請求項２３】
前記一時保存された中間データ形式のデータをＯＳの描画手段で解釈可能な描画命令に変換して出力する描画命令生成工程と、
前記アプリケーションからＯＳの描画手段を介して受け取った印刷命令は前記中間データ変換工程に渡し、前記描画命令生成工程からＯＳの描画手段を介して受け取った印刷命令は前記印刷データ生成工程に渡す印刷命令割り振り工程と、
を更に含むことを特徴とする請求項２２記載の情報処理方法。
【請求項２４】
前記描画命令はＧＤＩ関数であり、前記印刷命令はＤＤＩ関数であり、前記印刷データはプリンタ言語であることを特徴とする請求項２３記載の情報処理方法。
【請求項２５】
印刷装置に送信すべき印刷データを生成するプログラムを格納した記憶媒体であって、
アプリケーションにより生成された印刷すべきデータを中間コード形式の印刷ジョブに変換し、該印刷すべきデータのレイアウト情報と関連付けて一時保存する中間コード変換工程と、
前記中間コード変換工程により変換された複数の異なる印刷すべきデータに対応する複数の中間コード形式の印刷ジョブを結合して１つの結合ジョブにする結合指示をする結合指示工程と、
前記結合指示工程により複数の印刷ジョブを１つの結合ジョブにする結合指示がなされた場合に、複数の印刷ジョブのレイアウト情報を含むジョブ設定情報に基づいて、前記複数の印刷ジョブのページレイアウトを維持している前記結合ジョブのレイアウト情報を生成する結合ジョブ情報生成工程と、
前記結合ジョブに対してレイアウトを統一する指示がなされたか判定する判定工程と、
前記判定工程によりレイアウトを統一する指示がなされたと判定された場合に、前記結合ジョブに含まれる複数の印刷ジョブのページレイアウトが統一されるように、前記ジョブ出力用設定情報を編集する編集工程とを含み、
前記レイアウトを統一する指示がなされた場合には、前記ジョブ出力用設定情報に基づいて、複数の印刷ジョブのページレイアウトが統一された結合ジョブを生成し、前記レイアウトを統一する指示がなされない場合には、前記ジョブ出力用設定情報に基づいて、複数の印刷ジョブのページレイアウトの維持している結合ジョブを生成することを特徴とするコンピュータ読み取り可能なプログラムを格納した記憶媒体。
【請求項２６】
前記結合ジョブ情報生成工程は、複数の印刷ジョブのレイアウト情報に基づいて、物理ページに割り付けられる論理ページが特定できるように前記結合ジョブのレイアウト情報を物理ページ単位に生成することを特徴とする請求項２５記載の記憶媒体。
【請求項２７】
前記結合ジョブのレイアウト情報を統一する統一指示をするレイアウト統一指示工程を更に含み、
前記判定工程は、前記レイアウト統一指示工程からの統一指示が入力されることにより、前記結合ジョブに対してレイアウトを統一する指示がなされたと判定することを特徴とする請求項２５または２６に記載の記憶媒体。
【請求項２８】
前記編集工程は、レイアウトを統一する指示がなされたと判定された場合に、前記結合ジョブのレイアウト情報を所定のレイアウト情報に統一して、前記ジョブ出力用設定情報を編集することを特徴とする請求項２５乃至２７のいずれかに記載の記憶媒体。
【請求項２９】
前記編集工程は、レイアウトを統一する指示がなされたと判定された場合に、前記結合ジョブのレイアウト情報を、前記結合ジョブ内の最初の物理ページに対応する印刷ジョブのレイアウト情報に統一して、前記ジョブ出力用設定情報を編集することを特徴とする請求項２５乃至２７のいずれかに記載の記憶媒体。
【請求項３０】
前記結合ジョブ情報生成工程は、前記結合ジョブの論理ページ数をカウントし、レイアウト情報に基づいて物理ページにおける論理ページの配置を物理ページ毎に決定することを特徴とする請求項２５乃至２９のいずれかに記載の記憶媒体。
【請求項３１】
前記編集工程は、レイアウトを統一する指示がなされたと判定された場合に、複数の印刷ジョブ同士のページ詰処理に関する設定を取得して、前記ジョブ出力用設定情報を編集することを特徴とする請求項２５乃至３０のいずれかに記載の記憶媒体。
【請求項３２】
前記詰め配置指示工程は、同一の物理ページに論理ページを詰める詰め配置指示と、同一の物理ページの裏面が空いている場合に裏面に論理ページを詰める裏面詰め配置指示と、元の印刷ジョブが異なれば常に物理ページを変更する詰め配置しない指示のいずれかを指示させる詰め配置指示工程を更に含むことを特徴とする請求項２５乃至３１のいずれかに記載の記憶媒体。
【請求項３３】
前記結合ジョブのプレビューを表示するよう制御するプレビュー制御工程を更に含むことを特徴とする請求項２５乃至３２のいずれかに記載の記憶媒体。
【請求項３４】
前記一時保存された中間データ形式のデータに基づいて、前記印刷装置に送信すべき印刷データを生成する印刷データ生成工程を更に含むことを特徴とする請求項２５乃至３３のいずれかに記載の記憶媒体。
【請求項３５】
前記一時保存された中間データ形式のデータをＯＳの描画手段で解釈可能な描画命令に変換して出力する描画命令生成工程と、
前記アプリケーションからＯＳの描画手段を介して受け取った印刷命令は前記中間データ変換工程に渡し、前記描画命令生成工程からＯＳの描画手段を介して受け取った印刷命令は前記印刷データ生成工程に渡す印刷命令割り振り工程と、
を更に含むことを特徴とする請求項３４記載の記憶媒体。
【請求項３６】
前記描画命令はＧＤＩ関数であり、前記印刷命令はＤＤＩ関数であり、前記印刷データはプリンタ言語であることを特徴とする請求項３５記載の記憶媒体。
【発明の詳細な説明】
【０００１】
【発明の属する技術分野】
本発明は、印刷装置に送信すべき印刷データを生成する情報処理装置および情報処理方法および記憶媒体に関するもので、特にホストコンピュータにおいて、複数の印刷要求を一つの印刷ジョブに結合する技術に関するものである。
【０００２】
【従来の技術】
従来、ホストコンピュータにおいて、あるアプリケーションにより生成された一つのドキュメント（文書データ）を印刷する場合、通常そのドキュメントから生成されるひとつの印刷ジョブに対しては、予めプリンタドライバで設定される複数の印刷設定項目からなる一組の印刷設定属性が定義される。
【０００３】
また、アプリケーションで印刷指示した文書データをプリンタに出力せずにクライアント（ホストコンピュータ）に保持しておき、複数の文書データをまとめて１つのジョブとしてプリンタに送信する「まとめ印刷」機能を有するソフトウェアがある。
【０００４】
ユーザが複数のアプリケーション、例えば、文書を作成するのに適したアプリケーションＡ、表を作成するのに適したアプリケーションＢ、図面を作成するのに適したアプリケーションＣ等により生成した印刷ジョブをまとめて印刷したい場合があるが、しかしながら「まとめ印刷」機能は、複数の印刷ジョブをまとめて１つの印刷ジョブにしているだけであり、まとめ印刷するという指示がされ、まとめ印刷用にデータをスプールした順番で印刷時も出力されるため、ユーザは出力したページにスプールしなければならず、使い勝手が悪いという問題があった。例えば、文書、図面、文書、表、文書と１ページづつなる資料を印刷したい場合には、アプリケーションＡにより１ページ目を作成し、スプールさせ、アプリケーションＢにより２ページ目を作成し、スプールさせ、再度アプリケーションＡにより３ページ目を作成し、スプールさせ、アプリケーションＣにより４ページ目を作成し、スプールさせ、アプリケーションＡにより５ページ目を作成して、スプールしなければならなかった。
【０００５】
また、まとめて１つにした印刷すべきデータのプレビューをみたい場合にも、それぞれのアプリケーションにより提供されているプレビューを見ることはできるが、プリンタドライバで設定される複数の印刷設定を反映したプレビューを見ることはできなかった。
【０００６】
更に、複数のファイルをまとめて１つの印刷ジョブとして印刷したい場合には、まとめたジョブに対してフィニッシングの指定をユーザが行いたい場合にもそれを提供する手段がなく、その場合のプレビュー機能を有しているものがないという問題があり、実際にどのように印刷装置で印刷出力されるのか、印刷してみなければわからないという問題がある。
【０００７】
また、「まとめ印刷」を使用してデバイス側でページレイアウト機能（Ｎページ／枚）を使用した場合には、複数のジョブに対して同様のページレイアウト処理を行うことが可能であるが、元の印刷ジョブ毎に異なるレイアウトをもたせたまま印刷ジョブの結合を行うことができなかった。
【０００８】
【発明が解決しようとする課題】
前述したように、従来の技術では、１つのジョブに対して１つのページレイアウトしか持つことができず、そのためまとめ印刷として１つのジョブにする場合には、予めまとめ印刷用に印刷ジョブをアプリケーションから出力する際にページレイアウトの指定をすることができず、まとめ印刷時に１つのページレイアウトを選択するしかなかった。
【０００９】
本発明は上記問題点を鑑みてなされたものであり、それぞれの印刷ジョブにページレイアウト指定がなされた印刷ジョブを、そのページレイアウトの指定を維持したまま、印刷ジョブの結合を可能とすることを目的とする。
【００１０】
また、物理ページ単位に複数のページレイアウトを有している結合ジョブに対して、レイアウトの統一を可能とすることを目的とする。
【００１１】
【課題を解決するための手段】
上記課題を解決するため本願発明の情報処理装置は以下の構成を有する。
【００１２】
即ち、印刷装置に送信すべき印刷データを生成する情報処理装置であって、アプリケーションにより生成された印刷すべきデータを中間コード形式の印刷ジョブに変換し、該印刷すべきデータのレイアウト情報と関連付けて一時保存する中間コード変換手段と、前記中間コード変換手段により変換された複数の異なる印刷すべきデータに対応する複数の中間コード形式の印刷ジョブを結合して１つの結合ジョブにする結合指示をする結合指示手段と、前記結合指示手段により複数の印刷ジョブを１つの結合ジョブにする結合指示がなされた場合に、複数の印刷ジョブのレイアウト情報を含むジョブ設定情報に基づいて、前記複数の印刷ジョブのページレイアウトを維持している前記結合ジョブのレイアウト情報を含むジョブ出力用設定情報を生成する結合ジョブ情報生成手段と、前記結合ジョブに対してレイアウトを統一する指示がなされたか判定する判定手段と、前記判定手段によりレイアウトを統一する指示がなされたと判定された場合に、前記結合ジョブに含まれる複数の印刷ジョブのページレイアウトが統一されるように、前記ジョブ出力用設定情報を編集する編集手段とを有し、前記レイアウトを統一する指示がなされた場合には、前記ジョブ出力用設定情報に基づいて、複数の印刷ジョブのページレイアウトが統一された結合ジョブを生成し、前記レイアウトを統一する指示がなされない場合には、前記ジョブ出力用設定情報に基づいて、複数の印刷ジョブのページレイアウトの維持している結合ジョブを生成することを特徴とする。
【００１３】
また、前記結合ジョブ情報生成手段は、複数の印刷ジョブのレイアウト情報に基づいて、物理ページに割り付けられる論理ページが特定できるように前記結合ジョブのレイアウト情報を物理ページ単位に生成する。
【００１４】
また、前記結合ジョブのレイアウト情報を統一する統一指示をするレイアウト統一指示手段を更に有し、前記判定手段は、前記レイアウト統一指示手段からの統一指示が入力されることにより、前記結合ジョブに対してレイアウトを統一する指示がなされたと判定する。
【００１５】
また、前記編集手段は、レイアウトを統一する指示がなされたと判定された場合に、前記結合ジョブのレイアウト情報を所定のレイアウト情報に統一して、前記ジョブ出力用設定情報を編集する。
【００１６】
また、前記編集手段は、レイアウトを統一する指示がなされたと判定された場合に、前記結合ジョブのレイアウト情報を、前記結合ジョブ内の最初の物理ページに対応する印刷ジョブのレイアウト情報に統一して、前記ジョブ出力用設定情報を編集する。
【００１７】
また、前記結合ジョブ情報生成手段は、前記結合ジョブの論理ページ数をカウントし、レイアウト情報に基づいて物理ページにおける論理ページの配置を物理ページ毎に決定する。
【００１８】
また、前記編集手段は、レイアウトを統一する指示がなされたと判定された場合に、複数の印刷ジョブ同士のページ詰処理に関する設定を取得して、前記ジョブ出力用設定情報を編集する。
【００１９】
また、同一の物理ページに論理ページを詰める詰め配置指示と、同一の物理ページの裏面が空いている場合に裏面に論理ページを詰める裏面詰め配置指示と、元の印刷ジョブが異なれば常に物理ページを変更する詰め配置しない指示のいずれかを指示させる詰め配置指示手段を更に有する。
【００２０】
また、前記結合ジョブのプレビューを表示するよう制御するプレビュー制御手段を更に有する。
【００２１】
また、前記一時保存された中間データ形式のデータに基づいて、前記印刷装置に送信すべき印刷データを生成する印刷データ生成手段を更に有する。
【００２２】
また、前記一時保存された中間データ形式のデータをＯＳの描画手段で解釈可能な描画命令に変換して出力する描画命令生成手段と、前記アプリケーションからＯＳの描画手段を介して受け取った印刷命令は前記中間データ変換手段に渡し、前記描画命令生成手段からＯＳの描画手段を介して受け取った印刷命令は前記印刷データ生成手段に渡す印刷命令割り振り手段とを更に有する。
【００２３】
また、前記描画命令はＧＤＩ関数であり、前記印刷命令はＤＤＩ関数であり、前記印刷データはプリンタ言語である。
【００２４】
また、本発明のその他の解決手段は、上記装置を制御する方法、プログラムが格納された記憶媒体、もしくはコンピュータプログラムにおいて実現する。
【００２５】
【発明の実施の形態】
（第一実施例）
以下、本発明を適用するのに好適である実施例について説明を行う。
【００２６】
図１は本発明の実施例を示すプリンタ制御システムの構成を説明するブロック図である。なお、本発明の機能が実行されるのであれば、単体の機器であっても、複数の機器からなるシステムであっても、ＬＡＮ、ＷＡＮ等のネットワークを介して接続がなされ処理が行われるシステムであっても本発明を適用できる。
【００２７】
同図において、ホストコンピュータ３０００は、ＲＯＭ３のプログラム用ＲＯＭあるいは外部メモリ１１に記憶された文書処理プログラム等に基づいて図形、イメージ、文字、表（表計算等を含む）等が混在した文書処理を実行するＣＰＵ１を備え、システムバス４に接続される各デバイスをＣＰＵ１が総括的に制御する。また、このＲＯＭ３のプログラム用ＲＯＭあるいは外部メモリ１１には、ＣＰＵ１の制御プログラムであるオペレーティングシステムプログラム（以下ＯＳ）等を記憶し、ＲＯＭ３のフォント用ＲＯＭあるいは外部メモリ１１には上記文書処理の際に使用するフォントデータ等を記憶し、ＲＯＭ３のデータ用ＲＯＭあるいは外部メモリ１１には上記文書処理等を行う際に使用する各種データを記憶する。ＲＡＭ２は、ＣＰＵ１の主メモリ、ワークエリア等として機能する。
【００２８】
キーボードコントローラ（ＫＢＣ）５は、キーボード９や不図示のポインティングデバイスからのキー入力を制御する。ＣＲＴコントローラ（ＣＲＴＣ）６は、ＣＲＴディスプレイ（ＣＲＴ）１０の表示を制御する。７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フロッピーディスク（ＦＤ）等の外部メモリ１１とのアクセスを制御する。プリンタコントローラ（ＰＲＴＣ）８は、双方向性インタフェイス（インタフェイス）２１を介してプリンタ１５００に接続されて、プリンタ１５００との通信制御処理を実行する。
【００２９】
なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。また、ＣＰＵ１は、ＣＲＴ１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える。
【００３０】
プリンタ１５００は、ＣＰＵ１２により制御される。プリンタＣＰＵ１２は、ＲＯＭ１３のプログラム用ＲＯＭに記憶された制御プログラム等あるいは外部メモリ１４に記憶された制御プログラム等に基づいてシステムバス１５に接続される印刷部（プリンタエンジン）１７に出力情報としての画像信号を出力する。また、このＲＯＭ１３のプログラムＲＯＭには、ＣＰＵ１２の制御プログラム等を記憶する。ＲＯＭ１３のフォント用ＲＯＭには上記出力情報を生成する際に使用するフォントデータ等が記憶され、ＲＯＭ１３のデータ用ＲＯＭには、ハードディスク等の外部メモリ１４がないプリンタの場合には、ホストコンピュータ上で利用される情報等が記憶されている。
【００３１】
ＣＰＵ１２は入力部１８を介してホストコンピュータとの通信処理が可能となっており、プリンタ内の情報等をホストコンピュータ３０００に通知できる。ＲＡＭ１９は、ＣＰＵ１２の主メモリや、ワークエリア等として機能するＲＡＭで、図示しない増設ポートに接続されるオプションＲＡＭによりメモリ容量を拡張することができるように構成されている。なお、ＲＡＭ１９は、出力情報展開領域、環境データ格納領域、ＮＶＲＡＭ等に用いられる。前述したハードディスク（ＨＤ）、ＩＣカード等の外部メモリ１４は、メモリコントローラ（ＭＣ）２０によりアクセスを制御される。外部メモリ１４は、オプションとして接続され、フォントデータ、エミュレーションプログラム、フォームデータ等を記憶する。また、１８は前述した操作パネルで操作のためのスイッチおよびＬＥＤ表示器等が配されている。
【００３２】
また、前述した外部メモリ１４は１個に限らず、複数個備えられ、内蔵フォントに加えてオプションカード、言語系の異なるプリンタ制御言語を解釈するプログラムを格納した外部メモリを複数接続できるように構成されていてもよい。更に、図示しないＮＶＲＡＭを有し、操作パネル１５０１からのプリンタモード設定情報を記憶するようにしてもよい。
【００３３】
図２は、プリンタ等の印刷装置が直接接続されているか、あるいはネットワーク経由で接続されているホストコンピュータにおける典型的な印刷処理の構成図である。アプリケーション２０１、グラフィックエンジン２０２、プリンタドライバ２０３、およびシステムスプーラ２０４は、外部メモリ１１に保存されたファイルとして存在し、実行される場合にＯＳやそのモジュールを利用するモジュールによってＲＡＭ２にロードされ実行されるプログラムモジュールである。また、アプリケーション２０１およびプリンタドライバ２０３は、外部メモリ１１のＦＤや不図示のＣＤ?ＲＯＭ、あるいは不図示のネットワークを経由して外部ディスク１１のＨＤに追加することが可能となっている。外部メモリ１１に保存されているアプリケーション２０１はＲＡＭ２にロードされて実行されるが、このアプリケーション２０１からプリンタ１５００に対して印刷を行う際には、同様にＲＡＭ２にロードされ実行可能となっているグラフィックエンジン２０２を利用して出力（描画）を行う。
【００３４】
グラフィックエンジン２０２は、印刷装置ごとに用意されたプリンタドライバ２０３を同様に外部メモリ１１からＲＡＭ２にロードし、アプリケーション２０１の出力をプリンタドライバ２０３に設定する。そして、アプリケーション２０１から受け取るＧＤＩ（Graphic Device Interface）関数からＤＤＩ（Device Driver Interface）関数に変換して、プリンタドライバ２０３へＤＤＩ関数を出力する。プリンタドライバ２０３は、グラフィックエンジン２０２から受け取ったＤＤＩ関数に基づいて、プリンタが認識可能な制御コマンド、例えばＰＤＬ（Page Description Language）に変換する。変換されたプリンタ制御コマンドは、ＯＳによってＲＡＭ２にロードされたシステムスプーラ２０４を経てインタフェイス２１経由でプリンタ１５００へ印刷データとして出力される仕組みとなっている。
【００３５】
本実施形態の印刷システムは、図２で示すプリンタとホストコンピュータからなる印刷システムに加えて、更に図３に示すように、アプリケーションからの印刷データを一旦中間コードデータでスプールする構成を有する。
【００３６】
図３は、図２のシステムを拡張したもので、グラフィックエンジン２０２からプリンタドライバ２０３へ印刷命令を送る際に、一旦中間コードからなるスプールファイル３０３を生成する構成をとる。図２のシステムでは、アプリケーション２０１が印刷処理から開放されるのはプリンタドライバ２０３がグラフィックエンジン２０２からのすべての印刷命令をプリンタの制御コマンドへ変換し終った時点である。これに対して、図３のシステムでは、スプーラ３０２がすべての印刷命令を中間コードデータに変換し、スプールファイル３０３に出力した時点である。通常、後者の方が短時間で済む。また、図３で示すシステムにおいては、スプールファイル３０３の内容に対して加工することができる。これによりアプリケーションからの印刷データに対して、拡大縮小や、複数ページを１ページに縮小して印刷する等、アプリケーションの持たない機能を実現することができる。
【００３７】
これらの目的のために、図２のシステムに対し、図３の様に中間コードデータでスプールする様、システムの拡張がなされてきている。なお、印刷データの加工を行うためには、通常プリンタドライバ２０３が提供するウインドウから設定を行い、プリンタドライバ２０３がその設定内容をＲＡＭ２上あるいは外部メモリ１１上に保管する。
【００３８】
以下、図３の詳細を説明する。図に示す通り、この拡張された処理方式では、グラフィックエンジン２０２からの印刷命令であるＤＤＩ関数をディスパッチャ３０１が受け取る。ディスパッチャ３０１がグラフィックエンジン２０２から受け取った印刷命令（ＤＤＩ関数）が、アプリケーション２０１からグラフィックエンジン２０２へ発行された印刷命令（ＧＤＩ関数）に基づくものである場合には、ディスパッチャ３０１は外部メモリ１１に格納されているスプーラ３０２をＲＡＭ２にロードし、プリンタドライバ２０３ではなくスプーラ３０２へ印刷命令（ＤＤＩ関数）を送付する。
【００３９】
スプーラ３０２は受け取った印刷命令を解析し、ページ単位に中間コードに変換してスプールファイル３０３に出力する。このページ単位に格納されている中間コードのスプールファイルをページ描画ファイル（ＰＤＦ：Page Description File）と呼ぶ。また、スプーラ３０２は、プリンタドライバ２０３に対して設定されている印刷データに関する加工設定（Ｎｕｐ、両面、ステイプル、カラー／モノクロ指定等）をプリンタドライバ２０３から取得してジョブ単位のファイルとしてスプールファイル３０３に保存する。このジョブ単位に格納されている設定ファイルをジョブ設定ファイル（簡略してＳＤＦ：Spool Description Fileと呼ぶこともある）と呼ぶ。このジョブ設定ファイルについては後述する。なお、スプールファイル３０３は外部メモリ１１上にファイルとして生成するが、ＲＡＭ２上に生成されても構わない。更にスプーラ３０２は、外部メモリ１１に格納されているスプールファイルマネージャ３０４をＲＡＭ２にロードし、スプールファイルマネージャ３０４に対してスプールファイル３０３の生成状況を通知する。その後、スプールファイルマネージャ３０４は、スプールファイル３０３に保存された印刷データに関する加工設定の内容に従って印刷を行えるか判断する。
【００４０】
スプールファイルマネージャ３０４がグラフィックエンジン２０２を利用して印刷を行えると判断した際には、外部メモリ１１に格納されているデスプーラ３０５をＲＡＭ２にロードし、デスプーラ３０５に対して、スプールファイル３０３に記述された中間コードのページ描画ファイルの印刷処理を行うように指示する。
【００４１】
デスプーラ３０５はスプールファイル３０３に含まれる中間コードのページ描画ファイルをスプールファイル３０３に含まれる加工設定情報を含むジョブ設定ファイルに従って加工し、ＧＤＩ関数を再生成し、もう一度グラフィックエンジン２０２経由でＧＤＩ関数を出力する。
【００４２】
ディスパッチャ３０１がグラフィックエンジン２０２から受け取った印刷命令（ＤＤＩ関数）がデスプーラ３０５からグラフィックエンジン２０２へ発行された印刷命令（ＧＤＩ関数）に基づいたものである場合には、ディスパッチャ３０１はスプーラ３０２ではなく、プリンタドライバ２０３に印刷命令を送る。
【００４３】
プリンタドライバ２０３はグラフィックエンジン２０２から取得したＤＤＩ関数に基づいてページ記述言語等からなるプリンタ制御コマンドを生成し、システムスプーラ２０４経由でプリンタ１５００に出力する。
【００４４】
更に、図３では、これまで説明した拡張システムに加えて、プレビューア３０６、設定変更エディタ３０７を配し、プレビュー、印刷設定変更、複数ジョブの結合を可能にした例を示している。
【００４５】
印刷プレビュー、印刷設定変更、複数ジョブの結合を行うためには、まずユーザが図９に示すプリンタドライバのプロパティにおいて、「出力先の指定」を行う手段であるプルダウンメニューにおいて「ストア」を指定する必要がある。なお、プレビューだけをみたい場合は、出力先の指定として「プレビュー」を選択することによっても可能である。
【００４６】
このようにプリンタドライバのプロパティで設定されている内容は設定ファイルとしてＯＳが提供する構造体（WindowsＯＳでは、DEVMODEと呼ばれる）に格納される。その構造体には、例えばスプールファイル３０３に含まれる加工設定中にスプールファイルマネージャ３０４にストアを行うかどうかの設定が含まれており、スプールファイルマネージャ３０４がプリンタドライバを介して加工設定を読み込み、ストア指定がなされていた場合、前述したようにスプールファイル３０３にページ描画ファイルとジョブ設定ファイルとが生成・格納され、図１６のようにスプールファイルマネージャのウインドウ画面がポップアップされ、スプールファイル３０３にスプールされたジョブがリスト表示される。図１６には、４つのジョブがスプールされている例を示しており、メニューバーもしくは、そのすぐ下のメニューアイコンを押下することにより、ジョブの操作を行うことができる。メニューバーとメニューアイコンの操作の数は同じである。操作種類としては、ジョブを選択した状態で、「印刷」、中間コードのスプールファイルをそのまま残して印刷を行わせる「セーブして印刷」、印刷設定を考慮したジョブの出力プレビューを見るための「プレビュー」、中間コードのスプールファイルを削除する「削除」、中間コードのスプールファイルのコピーを生成する「複製」、複数の中間コードのスプールファイルのジョブを結合して１つのジョブにする「結合」、結合ジョブを元の複数のジョブに分割する「分割」、単体ジョブもしくは結合ジョブの印刷設定（レイアウト設定やフィニッシング設定等）を変更する「ジョブ編集」、あるジョブの印刷順序を最初にする「先頭に移動」、あるジョブの印刷順序を１つ早くする「１つ上に移動」、あるジョブの印刷順序を１つお則する「１つ下に移動」、あるジョブの印刷順序を最後にする「最後に移動」の以上１１個の操作がある。
【００４７】
スプールファイルマネージャのウインドウ画面（図１６）上で、ある単体ジョブもしくは結合ジョブのプレビュー指定がされた場合、外部メモリ１１に格納されているプレビューア３０６をＲＡＭ２にロードし、プレビューア３０６に対して、スプールファイル３０３に記述された中間コードのジョブのプレビュー処理を行うように指示する。
【００４８】
プレビューア３０６はスプールファイル３０３に含まれる中間コードのページ描画ファイル（ＰＤＦ）を順次読み出し、スプールファイル３０３に格納されているジョブ設定ファイル（ＳＤＦ）に含まれる加工設定情報の内容に従って加工し、グラフィックエンジン２０２に対してＧＤＩ関数を出力し、グラフィックエンジン２０２が自身のクライアント領域に描画データを出力することによって、画面上の出力が可能となる。
【００４９】
グラフィックエンジン２０２は、指定された出力先に応じて適切なレンダリングを行うことが可能である。このことから、プレビューア３０６は、デスプーラ３０５同様に、スプールファイル３０３に含まれる中間コードをスプールファイル３０３に含まれる加工設定の内容に従って加工し、グラフィックエンジン２０２を利用して出力する方法で実現可能となる。このようにプリンタドライバで設定されている加工設定をジョブ設定ファイルとしてスプールファイル３０３に格納し、このジョブ設定ファイルに基づいてページ描画ファイルのデータを加工して出力することにより、実際の描画データがどのように印刷されるか、更には、Ｎｕｐ（Ｎページの論理ページを１ページの物理ページに縮小配置して印刷する処理）指定されている場合、両面印刷されている場合、製本印刷指定されている場合、スタンプが指定されている場合、それぞれに応じて、プリンタで出力されるものに近い印刷プレビューをユーザに提供することができる。なお、従来の文書作成等のアプリケーションソフトウェアが有しているプレビュー機能は、あくまでそのアプリケーションにおけるページ設定に基づいて描画しているため、プリンタドライバでの印刷設定が反映されず、実際に印刷出力されるプレビューをユーザに認識させることはできなかった。
【００５０】
上記のようにプレビュー処理を行うことにより、図１７のようにスプールファイル３０３に含まれる印刷の加工設定の大プレビューがプレビューア３０６によって画面上に表示され、その後、ユーザの非表示指示によって、プレビューア３０６がクローズされ、制御がスプールファイルマネージャのウインドウ画面（図１６）に移行する。
【００５１】
そして、ユーザがプレビューア３０６によって表示された内容に従って、印刷を行うならば、スプールファイルマネージャ３０４上で、「印刷」もしくは「セーブして印刷」を指示することにより印刷要求を発行する。印刷要求は前述したように、デスプーラ３０５によりジョブ設定ファイルに基づいてページ描画ファイルを加工してＧＤＩ関数を生成し、グラフィックエンジン２０２に伝えられ、ディスパッチャ３０１経由で、プリンタドライバ２０３に印刷命令が送られ、印刷が実行される。
【００５２】
次に、設定変更エディタ３０７を用いた設定変更について説明する。
【００５３】
その実現方法としては、プレビュー同様、図９において「ストア」指定されたジョブに関して設定可能である。同様のフローによりスプールファイルマネージャ３０４がポップアップされ、スプールされたジョブがリスト表示される。スプールファイルマネージャのウインドウ画面（図１６）上で、「ジョブ編集」が指定され、設定変更指示がされた場合、外部メモリ１１に格納されている設定変更エディタ３０７をＲＡＭ２にロードし、設定変更エディタ３０７に対して、現在またはデフォルトの加工設定の表示を行うように指示する。そして図１８のようなジョブ設定画面が表示される。
【００５４】
設定変更エディタ３０７は、「ジョブ編集」が指定されたジョブのジョブ設定ファイルをスプールファイル３０３から取得し、そのジョブ設定ファイルに指定されている設定項目に基づいて図１８のジョブ設定画面のデフォルト値を変更する。図１８に示す例では、「ジョブ編集」指定されたジョブのジョブ設定ファイルには、部数：１部、印刷方法：片面、ステイプル：なし、レイアウト：１ページ／枚等が指定されていることになる。
【００５５】
この設定変更エディタ３０７でもスプールファイル３０３に含まれる中間コードのページ描画ファイルをスプールファイル３０３に格納されているジョブ設定ファイルに含まれる加工設定の内容に従って加工し、グラフィックエンジン２０２を用いて自身のクライアント領域に出力することによって、図１８に示す画面上の小プレビュー出力が可能となる。
【００５６】
またここで、スプールファイル３０３に格納されているジョブ設定ファイルに含まれる加工設定の内容を変更、修正することが可能である。その際、プリンタドライバ２０３の設定可能な項目を設定変更エディタ３０７上のユーザインターフェイスに持っていても、プリンタドライバ２０３自身のユーザインターフェイスを呼び出しても構わない。図１８に示すように、分数、印刷方法（片面、両目、製本印刷）、ステイプル（サドルフィニッシャー等）、ページレイアウト、配置順等の指定ができ、また「詳細設定」を押下することにより、プリンタドライバで指定できる項目の大半を設定しなおすことが可能となる。ただし、解像度、グラフィックモード等の印刷品位に関する設定の変更は許可しないものとする。
【００５７】
ここで変更された変更項目は設定変更エディタ３０７上の認証要求に従い、変更が認証され、制御がスプールファイルマネージャ３０４に移行する。変更が認証されたものは、印刷設定の変更を保存することになるが、オリジナルのジョブ設定ファイルには保存せずに、ジョブ編集等で用いられるジョブ出力用設定ファイルを新たに生成して保存することになる。ジョブ出力用設定ファイルについての詳細は、図１０以降で後述する。
【００５８】
そして、ユーザがプレビューア３０６での確認同様、設定変更内容に従って、印刷を行うならば、スプールファイルマネージャ３０４上で、印刷要求を発行する。印刷要求はグラフィックエンジン２０２に伝えられ、ディスパッチャ３０１経由で、プリンタドライバ２０３に印刷命令が送られ、印刷が実行される。
【００５９】
また、スプールファイルマネージャのウインドウ画面（図１６）では、複数の印刷ジョブを結合し、一つの印刷ジョブとして印刷するように指定することが可能である。これも、プレビュー、設定変更同様、図９のプリンタドライバのプロパティにおいて出力先を「ストア」指定されたジョブが前提となる。
【００６０】
ユーザが印刷ジョブの結合を行う場合、まず、アプリケーション２０１からプリンタドライバ２０３を呼び出し、図９に示すようなユーザインターフェイス上からストアを選択する。前記同様、この選択により、スプールファイル３０３にストアされ、図１６のようにスプールファイルマネージャのウインドウ画面（図１６）がポップアップされる。スプールされたジョブはスプールファイルマネージャのウインドウ上にリスト表示される。アプリケーション２０１から同様の操作をすることにより、スプールファイルマネージャ３０４上に複数ジョブのリスト表示がされることになる。
【００６１】
ここで、複数ジョブを選択し、「結合」が指定された場合、外部メモリ１１に格納されている設定変更エディタ３０７をＲＡＭ２にロードし、設定変更エディタ３０７に対して、リスト上の先頭ジョブまたはデフォルトの加工設定の表示を行うように指示する。そして図１８のような結合設定画面が表示される。ここでは、設定変更エディタ３０７を結合設定画面として用いているが、別モジュールのものを用いても構わない。
【００６２】
この設定変更エディタ３０７は、スプールファイル３０３に含まれる中間コードのページ描画ファイルをスプールファイル３０３に格納されているジョブ設定情報に含まれる加工設定の内容に従って加工し、結合ジョブとして指定されたすべてのジョブに対して、グラフィックエンジン２０２を用いて自身のクライアント領域に出力することによって、画面上の出力を行う。その際、図１８に示すプレビュー領域に選択された全てのジョブの小プレビューが可能となる。また、結合ジョブを生成する際に、それぞれの単体ジョブのジョブ設定ファイルを拡張したジョブ出力用設定ファイルを生成する。このジョブ出力用設定ファイルは、ジョブ編集を行う際にも生成されるものであり、１つのジョブに対して１つできるものであり、結合ジョブの場合もまた１つ生成される。
【００６３】
ここではそれぞれのジョブに対して、結合する前の加工設定で表示することも、結合ジョブとして統一の加工設定に変更、修正して表示することも可能である。その際、プリンタドライバ２０３の設定可能な項目を設定変更エディタ３０７上のユーザインターフェイスに持っていても、プリンタドライバ２０３自身のユーザインターフェイスを呼び出しても構わない。
【００６４】
ここで結合されたジョブ及び変更された変更項目は、前述したように、設定変更エディタ３０７上の認証要求に従い、変更が認証され、制御がスプールファイルマネージャ３０４に移行する。これらの操作により、先に選択された複数ジョブは、スプールファイルマネージャのウインドウ上で一つの結合ジョブとして表示される。
【００６５】
そして、ユーザがプレビューア３０６での確認同様、設定変更内容に従って、印刷を行うならば、スプールファイルマネージャ３０４上で、印刷要求を発行する。印刷要求はグラフィックエンジン２０２に伝えられ、ディスパッチャ３０１経由で、プリンタドライバ２０３に印刷命令が送られ、印刷が実行される。
【００６６】
図４は、プリンタ１５００の一例である両面印刷機能を有するカラーレーザプリンタの断面図である。
【００６７】
このプリンタはホストコンピュータ３０００より入力した印刷データに基づいて得られる各色毎の画像データで変調されたレーザ光をポリゴンミラー３１により感光ドラム１５を走査して静電潜像を形成する。そして、この静電潜像をトナー現像して可視画像を得、これを中間転写体９へ全色について多重転写してカラー可視画像を形成する。そして更に、このカラー可視画像を転写材２へ転写し、転写材２上にカラー可視画像を定着させる。以上の制御を行う画像形成部は、感光ドラム１５を有するドラムユニット、接触帯電ローラ１７を有する一次帯電部、クリーニング部、現像部、中間転写体９、用紙カセット１や各種ローラ３、４、５、７を含む給紙部、転写ローラ１０を含む転写部及び定着部２５によって構成されている。
【００６８】
ドラムユニット１３は、感光ドラム(感光体)１５と感光ドラム１５のホルダを兼ねたクリーニング機構を有するクリーナ容器１４とを一体に構成したものである。このドラムユニット１３はプリンタ本体に対して着脱自在に支持され、感光ドラム１５の寿命に合わせて容易にユニット交換可能に構成されている。上記感光ドラム１５はアルミシリンダの外周に有機光導電体層を塗布して構成し、クリーナ容器１４に回転可能に支持されている。感光ドラム１５は、図示しない駆動モータの駆動力が伝達されて回転するもので、駆動モータは感光ドラム１５を画像形成動作に応じて反時計回り方向に回転させる。感光ドラム１５の表面を選択的に露光させることにより静電潜像が形成されるように構成されている。スキャナ部３０では、変調されたレーザ光を、モータ３１ａにより画像信号の水平同期信号を同期して回転するポリゴンミラーにより反射し、レンズ３２、反射鏡３３を介して感光ドラムを照射する。
【００６９】
現像部は、上記静電潜像を可視画像化するために、イエロー（Ｙ）、マゼンダ（Ｍ）、シアン（Ｃ）の現像を行う３個のカラー現像器２０Ｙ、２０Ｍ、２０Ｃと、ブラック（Ｂ）の現像を行う１個のブラック現像器２１Ｂとを備えた構成を有する。カラー現像器２０Ｙ、２０Ｍ、２０Ｃ及びブラック現像器２１Ｂには、スリープ２０ＹＳ、２０ＭＳ、２０ＣＳ及び２１ＢＳと、これらスリープ２０ＹＳ、２０ＭＳ、２０ＣＳ、２１ＢＳそれぞれの外周に圧接する塗布ブレード２０ＹＢ、２０ＭＢ、２０ＣＢ及び２１ＢＢとがそれぞれ設けられる。また３個のカラー現像器２０Ｙ、２０Ｍ、２０Ｃには塗布ローラ２０ＹＲ、２０ＭＲ、２０ＣＲが設けられている。
【００７０】
また、ブラック現像器２１Ｂはプリンタ本体に対して着脱可能に取り付けられており、カラー現像器２０Ｙ、２０Ｍ、２０Ｃは回転軸２２を中心に回転する現像ロータリー２３にそれぞれ着脱可能に取り付けられている。
【００７１】
ブラック現像器２１Ｂのスリープ２１ＢＳは感光ドラム１５に対して例えば３００μｍ程度の微小間隔を持って配置されている。ブラック現像器２１Ｂは、器内に内蔵された送り込み部材によってトナーを搬送すると共に、時計回り方向に回転するスリープ２１ＢＳの外周に塗布ブレード２１ＢＢによって塗布するように摩擦帯電によってトナーへ電荷を付与する。また、スリープ２１ＢＳに現像バイアスを印加することにより、静電潜像に応じて感光ドラム１５に対して現像を行って感光ドラム１５にブラックトナーによる可視画像を形成する。
【００７２】
３個のカラー現像器２０Ｙ、２０Ｍ、２０Ｃは、画像形成に際して現像ロータリー２３の回転に伴って回転し、所定のスリープ２０ＹＳ、２０ＭＳ、２０ＣＳが感光ドラム１５に対して３００μｍ程度の微小間隔を持って対向することになる。これにより所定のカラー現像器２０Ｙ、２０Ｍ、２０Ｃが感光ドラム１５に対向する現像位置に停止し、感光ドラム１５に可視画像が作成される。
【００７３】
カラー画像形成時には、中間転写体９の１回転毎に現像ロータリー２３が回転し、イエロー現像器２０Ｙ、マゼンダ現像器２０Ｍ、シアン現像器２０Ｃ、次いでブラック現像器２１Ｂの順で現像工程がなされ、中間転写体９が４回転してイエロー、マゼンダ、シアン、ブラックのそれぞれのトナーによる可視画像を順次形成し、その結果フルカラー可視画像を中間転写体９上に形成する。
【００７４】
中間転写体９は、感光ドラム１５に接触して感光ドラム１５の回転に伴って回転するように構成されたもので、カラー画像形成時に時計回り方向に回転し、感光ドラム１５から４回の可視画像の多重転写を受ける。また、中間転写体９は画像形成時に後述する転写ローラ１０が接触して転写材２を挟持搬送することにより転写材２に中間転写体９上のカラー可視画像を同時に多重転写する。中間転写体の外周部には、中間転写体９の回転方向に関する位置を検知するためのＴＯＰセンサ９ａ及びＲＳセンサ９ｂと、中間転写体に転写されたトナー像の濃度を検知するための濃度センサ９ｃが配置されている。
【００７５】
転写ローラ１０は、感光ドラム１５に対して接離可能に支承された転写帯電器を備えたもので、金属軸を中抵抗発泡弾性体により巻回することによって構成されている。
【００７６】
転写ローラ１０は、図４に実線で示すように中間転写体９上にカラー可視画像を多重転写している間は、カラー可視画像を乱さぬように下方に離開している。そして、上記中間転写体９上に４色のカラー可視画像が形成された後は、このカラー可視画像を転写材２に転写するタイミングに合わせてカム部材（不図示）により転写ローラ１０を図示点線で示す上方に位置させる。これにより転写ローラ１０は転写材２を介して中間転写体９に所定の押圧力で圧接すると共に、バイアス電圧が印加され、中間転写体９上のカラー可視画像が転写材２に転写される。
【００７７】
定着部２５は、転写２を搬送させながら、転写されたカラー可視画像を定着させるものであり、転写材２を加熱する定着ローラ２６と転写材２を定着ローラ２６に圧接させるための加圧ローラ２７とを備えている。定着ローラ２６と加圧ローラ２７とは中空状に形成され、内部にそれぞれヒータ２８、２９が内蔵されている。即ち、カラー可視画像を保持した転写材２は定着ローラ２６と加圧ローラ２７とにより搬送されると共に、熱及び圧力を加えることによりトナーが表面に定着される。
【００７８】
可視画像定着後の転写材２は、その後排紙ローラ３４、３５、３６によって排紙部３７へ排出して画像形成動作を終了する。
【００７９】
クリーニング手段は、感光ドラム１５上及び中間転写体９上に残ったトナーをクリーニングするものであり、感光ドラム１５上に形成されたトナーによる可視画像を中間転写体９に転写した後の廃トナーあるいは、中間転写体９上に作成された４色のカラー可視画像を転写材２に転写した後の廃トナーは、クリーナ容器１４に蓄えられる。
【００８０】
印刷される転写材（記録用紙）２は、給紙トレイ１から給紙ローラ３により取り出されて中間転写体９と転写ローラ１０との間に挟まれるようにして搬送されてカラートナー画像が記録され、定着部２５を通過してトナー像が定着される。片面印刷の場合には、案内３８が上方の排紙部に記録用紙を導くように搬送経路を形成するが、両面印刷に対しては、下方の両面ユニットに導くように経路を形成する。
【００８１】
両面ユニットに導かれた記録用紙は、搬送ローラ４０によりトレイ１の下部（二点鎖線で示す搬送経路）に一旦送り込まれた後に逆方向に搬送され、両面トレイ３９に送られる。両面トレイ３９上では、用紙は給紙トレイ１に載置された状態とは表裏が逆になり、また搬送方向について前後が逆になっている。この状態で再びトナー像の転写、定着を再度行うことで、両面印刷ができる。
【００８２】
図５は、スプーラ３０２における、スプールファイル３０３の生成におけるページ単位保存ステップの処理をフローチャートで示したものである。
【００８３】
まずステップ５０１では、スプーラ３０２は、アプリケーションからグラフィックエンジン２０２を介して印刷要求を受け付ける。アプリケーションにおいては、図８に示すような印刷設定を入力するダイアログが表示され、このダイアログから入力された印刷設定がプリンタドライバよりスプーラ３０３に渡される。図８に示す設定入力ダイアログにおいては、８０１のような１物理ページにレイアウトする論理ページの数を決定するような設定項目等を含んでいる。
【００８４】
ステップ５０２では、スプーラ３０２は、受け付けた印刷要求がジョブ開始要求か判定し、もしステップ５０２でジョブ開始要求であると判断した場合には、ステップ５０３に進み、スプーラ３０２は、中間データを一時的に保存するためのスプールファイル３０３を作成する。続いて、ステップ５０４では、スプーラ３０２は、スプールファイルマネージャ３０４へ印刷処理の進捗を通知し、続くステップ５０５でスプーラ３０２のページ数カウンタを１に初期化する。ここで、スプールファイルマネージャ３０４においては、印刷が開始されたジョブに対するジョブの情報や加工設定などをスプールファイル３０３より読み込み、記憶する。
【００８５】
一方、ステップ５０２において、ジョブ開始要求ではなかったと判断した場合には、ステップ５０６に進む。
【００８６】
ステップ５０６では、スプーラ３０２は、受け付けた要求がジョブ終了要求かどうかの判別を行う。ジョブ終了要求でないと判断した場合には、ステップ５０７に進み、改ページかどうかの判別を行う。もしもステップ５０７で改ページであると判断した場合には、ステップ５０８に進み、スプールファイルマネージャ３０４へ印刷処理の進捗を通知する。そしてページ数カウンタをインクリメントして、中間コードを格納しているページ描画ファイルを閉じ、次のページ描画ファイルを生成する。
【００８７】
ステップ５０７において、受け付けた印刷要求が改ページではないと判断した場合には、ステップ５０９に進み、スプーラ３０２は、ページ描画ファイルへの中間コードの書き出しの準備を行う。
【００８８】
次に、ステップ５１０では、印字要求をスプールファイル３０３へ格納するため、スプーラ３０２は、印字要求のＤＤＩ関数の中間コードへの変換処理を行う。ステップ５１１では、スプーラ３０２は、ステップ５１０において格納可能な形に変換された印刷要求（中間コード）をスプールファイル３０３のページ描画ファイルへ書き込む。その後、ステップ５０１に戻り、再びアプリケーションからの印刷要求を受け付ける。この一連のステップ５０１からステップ５１１までの処理を、アプリケーションよりジョブ終了要求（End Doc）を受け取るまで続ける。また、スプーラ３０２は、同時にプリンタドライバ２０３からDEVMODE構造体に格納されている加工設定等の情報を取得し、ジョブ設定ファイルとしてスプールファイル３０３に格納する。一方、ステップ５０６にて、アプリケーションからの印刷要求がジョブ終了であると判断した場合には、アプリケーションからの印刷要求は全て終了であるので、ステップ５１２に進み、スプールファイルマネージャ３０４へ印刷処理の進捗を通知し、処理を終える。
【００８９】
図６は、スプールファイルマネージャ３０４における、スプールファイル３０３生成プロセスと以降説明する印刷データ生成プロセスの間での制御の詳細をフローチャートで示したものである。
【００９０】
ステップ６０１では、スプールファイルマネージャ３０４は、スプーラ３０２あるいはデスプーラ３０５からの印刷処理の進捗通知を受け付ける。
【００９１】
ステップ６０２では、スプールファイルマネージャ３０４は、もし進捗通知が前述のステップ５０４において通知されるスプーラ３０２からの印刷開始通知であるかどうか判定し、もしそうであればステップ６０３へ進み、印刷の加工設定をスプールファイル３０３から読み込み、ジョブの管理を開始する。一方、ステップ６０２において、スプーラ３０２からの印刷開始通知でなければステップ６０４へ進み、スプールファイルマネージャ３０４は、進捗通知が前述のステップ５０８において通知されるスプーラ３０２からの１論理ページの印刷終了通知であるかどうか判定する。ここで１論理ページの印刷終了通知であればステップ６０５へ進み、この論理ページに対する論理ページ情報を格納する。そして、続くステップ６０６では、この時点でスプールが終了したn論理ページに対して、１物理ページの印刷が開始できるかを判定する。ここで、印刷可能である場合はステップ６０７へ進み、印刷する１物理ページに対して割り付けれられる論理数から物理ページ番号を決定する。
【００９２】
物理ページの計算については、例えば、加工設定が１物理ページに４論理ページを配置するような設定の場合、第１物理ページは第４論理ページがスプールされた時点で印刷可能となり、第１物理ページとなる。続いて、第２物理ページは第８論理ページがスプールされた時点で印刷可能となる。
【００９３】
また、論理ページ数の総数が１物理ページに配置する論理ページ数の倍数でなくても、ステップ５１２におけるスプール終了通知によって１物理ページに配置する論理ページが決定可能である。
【００９４】
そして、ステップ６０８では、図１０に示すような形式で、印刷可能となった物理ページを構成する論理ページ番号と、その物理ページ番号などの情報がジョブ出力用設定ファイル（物理ページ情報を含むファイル）に保存され、物理ページ情報が１物理ページ分追加されたことがデスプーラ３０５に通知される。その後ステップ６０１に戻り、次の通知を待つ。本実施例においては、印刷データ１ページ、即ち１物理ページを構成する論理ページがスプールされた時点で印刷ジョブのスプールが全て終了していなくても印刷処理が可能である。
【００９５】
一方、ステップ６０４において、進捗通知がスプーラ３０２からの１論理ページの印刷終了通知でなかった場合ステップ６０９へ進み、スプールファイルマネージャ３０４は、前述のステップ５１２において通知されるスプーラ３０２からのジョブ終了通知であるかどうかを判定する。ここで、ジョブ終了通知である場合、前述のステップ６０６へ進む。一方、ジョブ終了通知でない場合、ステップ６１０へ進み、スプールファイルマネージャ３０４は、受け付けた通知がデスプーラ３０５からの１物理ページの印刷終了通知であるかどうか判定する。ここで、１物理ページの印刷終了通知である場合はステップ６１２へ進み、加工設定の印刷が全て終了したかを判定する。印刷終了した場合、ステップ６１２へ進み、デスプーラ３０５に印刷終了の通知を行う。一方、加工設定に対する印刷がまだ終了していないと判断した場合、前述の６０６へ進む。本実施例におけるデスプーラ３０５は印刷処理を行う単位として１物理ページ数を想定している。また、ステップ６０８では、１物理ページの印刷処理を行うのに必要な情報をファイルに逐次保存し、再利用可能な形式にしているが、再利用不要な場合には、共有メモリ等高速な媒体を使用し、１物理ページ単位で次々と上書きする実装にして、速度とリソースを節約するような実装形式であってもよい。また、デスプールの進捗よりもスプールの進捗の方が早い場合や全ページのスプール終了後からデスプールが開始されるような場合には、ステップ６０８で１物理ページ毎にページ印刷可能を通知せずに、デスプール側の進捗に応じて、複数物理ページもしくは全物理ページが印刷可能になったという通知内容にして、通知回数を節約することが可能である。ステップ６１０において、通知がデスプーラ３０５からの１物理ページの印刷終了通知でないと判断された場合、ステップ６１３へ進み、スプールファイルマネージャ３０４は、デスプーラ３０５からの印刷終了通知かどうかを判定する。通知がデスプーラ３０５からの印刷終了通知と判定された場合、ステップ６１４へ進み、スプールファイルマネージャ３０４は、スプールファイル３０３の該当するページ描画ファイルの削除を行い処理を終える。ただし、一方、デスプーラ３０５からの印刷終了通知でなかった場合はステップ６１５へ進み、その他通常処理を行い、次の通知を待つ。
【００９６】
図７は、デスプーラ３０５における、印刷データの生成プロセスの詳細をフローチャートで示したものである。
【００９７】
デスプーラ３０５は、スプールファイルマネージャ３０４からの印刷要求に応じて、スプールファイル３０３から必要な情報（ページ描画ファイルおよびジョブ設定ファイル）を読み出して印刷データを生成する。生成された印刷データにおけるプリンタへの転送方法については図３で説明した通りである。
【００９８】
印刷データの生成では、まず、ステップ７０１において、前述のスプールファイルマネージャ３０４からの通知を入力する。続くステップ７０２では、デスプーラ３０５は、入力された通知がジョブの終了通知かどうか判定し、ジョブ終了通知であるならばステップ７０３へ進み、終了フラグを立て、ステップ７０５へ進む。一方、ステップ７０２においてジョブ終了通知でない場合は、ステップ７０４に進み、前述のステップ６０８における１物理ページの印刷開始要求が通知されたかどうか判定する。ステップ７０４において開始要求と判定されなかった場合は、ステップ７１０へ進み、その他エラー処理を行い、ステップ７０１へ戻り次の通知を待つ。一方、ステップ７０４において１物理ページの印刷開始要求と判定された場合は、ステップ７０５へ進み、デスプーラ３０５は、ステップ７０４で通知を受けた印刷処理可能な物理ページのIDを保存する。続くステップ７０６では、デスプーラ３０５は、ステップ７０５で保存した物理ページIDのすべてのページに関して印刷処理が済んでいるかどうか判定する。ここで全物理ページの処理が済んでいる場合は、ステップ７０７へ進み、前述のステップ７０３で終了フラグが立てられているのか判定する。終了フラグがたっている場合は、ジョブの印刷が終了したとみなし、デスプーラ３０５の処理終了の通知をスプールファイルマネージャ３０４に通知し、処理を終える。ステップ７０７で、終了フラグが立っていないと判定された場合は、ステップ７０１へ戻り次の通知を待つ。一方、ステップ７０６で、印刷可能な物理ページが残っていると判定された場合には、ステップ７０８へ進み、デスプーラ３０５は、保存された物理ページIDから未処理の物理ページIDを順に読み出し、読み出した物理ページIDに対応する物理ページの印刷データ生成に必要な情報を読み込み、印刷処理を行う。印刷処理はスプールファイル３０３に格納された印刷要求命令をデスプーラ３０５においてグラフィックエンジン２０２が認識可能な形式（ＧＤＩ関数）に変換し、転送する。本実施例のような、複数論理ページを１物理ページにレイアウトするような加工設定（以下Nページ印刷）については、このステップで縮小配置を考慮にいれながら変換する。必要な印刷処理が終えたならば、続くステップ７０９において１物理ページの印刷データ生成終了の通知をスプールファイルマネージャ３０４に対して行う。そして再びステップ７０６へ戻り、ステップ７０５で保存しておいた印刷可能な物理ページIDすべてについて印刷処理を行うまで繰り返す。
【００９９】
以上が、ディスパッチャ３０１、スプーラ３０２、スプールファイルマネージャ３０４、デスプーラ３０５を用いた印刷処理の流れである。上記のように処理することにより、スプーラ３０２が中間コードを生成してスプールファイル３０３に格納するタイミングでアプリケーション２０１が印刷処理から開放されるので、プリンタドライバ２０３に直接出力するよりも短時間で済む。また、スプールファイル３０３にプリンタドライバの印刷設定を踏まえた中間ファイル（ページ描画ファイル、ジョブ設定ファイル）として一時保存しているので、実際に印刷されるべき印刷プレビューをユーザに認識させることや、複数のアプリケーションにより生成した印刷ジョブの結合や並び替えが可能となり、印刷設定の変更を行う場合にも、再度アプリケーションを立ち上げて印刷をすることなしにユーザに行わせることを可能とする。
【０１００】
ここで、スプーラ３０２を用いた印刷処理において、デスプーラ３０５によりグラフィックエンジン２０２への印刷要求時にジョブ出力用設定ファイルが生成されるが、プレビューやジョブ結合等を行う場合もジョブ出力用設定ファイルが生成される。ジョブ出力用設定ファイルは、単体ジョブの場合はジョブ設定ファイルと同等のものであり、結合ジョブの場合は複数のジョブ設定情報に基づいて生成されるものである。ここでジョブ出力用設定ファイルについて説明する。
【０１０１】
図１０は、ステップ６０８において、スプールファイルマネージャ３０４が生成する印刷可能となった物理ページを構成する情報を保存しているジョブ出力用設定ファイルの例を示す。フィールド１００１は、ジョブを識別するためのIDで、本情報を保存しているファイル名や共有メモリの名称という形で保持することも可能である。フィールド１００２はジョブ設定情報である。ジョブ設定情報には、グラフィックエンジン２０２に対してジョブの印刷を開始するために必要な構造体、Nページ印刷の指定、ページ枠などの追加描画の指定、部数、ステイプルなどのフィニッシング指定など、１つのジョブに対して１つしか設定できない情報が含まれている。ジョブ設定情報１００２には、ジョブに対する機能に応じて必要なだけ情報が保存される。フィールド１００３はジョブの物理ページ数で、本フィールド以降、この数の分だけ物理ページ情報が保存されていることを示す。本実施例では、印刷可能な物理ページ数を通知する方式であるので、このフィールドは無くても動作可能である。これ以降、フィールド１００４から最後までフィールド１００３の数だけ物理ページ情報が格納される。物理ページ情報については図１２で説明する。
【０１０２】
図１１は、図１０のフィールド１００２に図示されたジョブ設定情報の一例である。フィールド１１０１は全物理ページ数である。フィールド１１０２は、全論理ページ数である。フィールド１１０１および１１０２は、印刷データに追加して、ページ数などを付加情報として印刷する場合などに利用する。印刷が続いている際には、両フィールドは暫定的な値、もしくは、印刷が終了するまでスプールファイルマネージャ３０４は印刷可能な物理ページの情報の作成を延期する。フィールド１１０３は本印刷ジョブを何部印刷するかを指定する部数情報である。フィールド１１０４は、フィールド１１０３で複数部印刷する設定の場合、部単位で印刷するかどうかの指定である。フィールド１１０４はステイプル、パンチ、Z折などのフィニッシング情報で、プリンタ本体もしくは外部にフィニッシャーがある場合に指定される。フィールド１１０６は付加印刷情報で、ページ枠などの飾り、日付などの付加情報、ユーザ名、ページ数、ウォーターマーク印刷等、ジョブに対して付加する情報が保存される。機能が増えるに従って本ジョブ設定情報に含まれるフィールドの数も増加し、例えば、両面印刷が可能な場合は、両面印刷の指定を保存するフィールドが追加される。
【０１０３】
図１２は、図１０のフィールド１００４に図示された物理ページ情報の一例を示す。最初のフィールド１２０１は物理ページ番号で、印刷順序の管理や、物理ページ番号を追加印刷する際に使用される値である。フィールド１２０２は物理ページ設定情報で、物理ページ毎にレイアウトやカラー・モノクロの指定が可能である場合、レイアウトやカラー・モノクロの設定が保存される。フィールド１２０３は本物理ページに割り付けられる論理ページ数で、１物理ページに４ページを割り付ける場合には４もしくは４ページ印刷を示すIDが保存される。フィールド１２０４以降はフィールド１２０３で指定された数だけ論理ページの情報が保存される。アプリケーション２０１から印刷されたページ数によっては、１２０３で指定されるページ数よりも実際のページデータ数が少なくなる場合がある。その場合には、論理ページ情報に空ページを示す特別なデータを保存して対応する。
【０１０４】
図１３は、１２０２の物理ページ設定情報の例である。フィールド１３０１は物理ページ上への論理ページの配置順で、Nページ印刷で、物理ページ上に論理ページを配置する順番（左上から横へ、左上から下へ等）の指定が保存されている。システムによっては、配置順ではなく、フィールド１２０４以降の論理ページ情報の順番をページ番号順ではなく、配置順に応じた順序で配することで１３０１の設定を代用する場合もある。フィールド１３０２は両面印刷の表・裏の情報で、例えば綴じ代を表裏でそろえる際に使用される。フィールド１３０３はカラーページかモノクロページかの指定で、プリンタがモノクロモードとカラーモードを持つ場合、カラーページとモノクロページが混在する文書で、カラーページをカラーモードで、モノクロページをモノクロモードで印刷したい場合などに使用される値である。この情報を持つことにより、オートカラーモードとして、ページ単位にカラープリンタで処理を変更することが可能となる。つまり、カラーページは、中間転写体（中間転写ドラム、中間転写ベルト）もしくは転写体（転写ドラム、転写ベルト）がデバイスカラーの数分、ＹＭＣＫなら４回転し、モノクロページは、ブラックだけ１回転することにより転写制御することを可能とする。フィールド１３０４は付加印刷情報で、物理ページに対して、ページ数や、日付などの付加情報を印刷する場合に使用される。物理ページ設定情報も、システムの機能に応じてフィールドが追加される。
【０１０５】
図１４は、１２０４で示された論理ページ情報の一例を示す。フィールド１４０１は論理ページのIDで、このIDを利用して、スプールファイル３０３から論理ページに対応するページ描画ファイルの中間コードを参照する。このIDを利用して論理ページの中間コードへアクセス可能であれば良く、ファイルやメモリポインタであっても、論理ページを構成する中間コード自身が入っていてもよい。フィールド１４０２は論理ページ番号で論理ページ番号を付加情報として印刷する場合や、論理ページIDの補助情報に使用される。フィールド１４０３のフォーマット情報には、論理ページ単位で指定可能である各種設定項目が保存される。例えば、ページ枠などの付加印刷情報、拡縮率などの論理ページ単位に指定される各種設定の情報が保存される。また、必要であれば、論理ページ単位のカラー・モノクロ情報などの論理ページに対する属性情報を保存する事も可能である。逆に、論理ページ単位で設定を切りかえる事や論理ページ単位での属性情報が不要であるようなシステムでは、フィールド１４０３は不要である。ジョブ出力用設定ファイルは、上記のように構成されている。なお、ジョブ設定ファイルもほぼ同様であり、印刷体裁（片面、両面、製本印刷）、印刷レイアウト（Ｎｕｐ、ポスター印刷）、付加情報（ウォーターマーク、日付、ユーザ名の付加）、部数、用紙サイズ情報がジョブとして有しており、物理ページ毎に、論理ページの配置順、両面印刷の表面か、裏面か、カラーモード等から構成されている。
【０１０６】
更に、図３では、これまで説明した拡張システムに加えて、ジョブの設定変更機能を持つ設定変更エディタ３０７を配した例を示している。本実施例ではジョブの設定内容は、単体ジョブは、ジョブ設定ファイルに、また結合ジョブは、図１０に示したジョブ出力用設定ファイル中に含まれており、中間コードを保存しているページ描画ファイル３０３とは独立しているため、ジョブ出力用設定ファイルを作り変えることでジョブの設定変更が可能である。設定変更エディタ３０７は単独で、あるいはスプールファイルマネージャ３０４と連携して、ジョブ出力用設定ファイルを作り変え、あるいは、一部を書き換えることでジョブの設定変更機能を実現している。図１５は、設定変更エディタ３０７におけるジョブ設定変更処理プロセスの詳細をフローチャートで示したものである。まずステップ１５０１では、設定変更エディタは、ジョブ設定ファイルもしくはジョブ出力用設定ファイルを読み込む。ジョブ出力用設定ファイルはプレビューア３０５、デスプーラ３０３が読み込むものと同じファイルである。次に、ステップ１５０２へ進み、読み込んだ結果を、ユーザに表示する。ステップ１５０３で、図１８に示したようなユーザインターフェイス上で、ユーザとの対話を行い、前述したメニューの指定等により設定内容を変更する。このステップは、対話形式でなく、ファイルなどに書きこまれた設定変更の内容に応じて変更するバッチ形式でもよい。次にステップ１５０４へ進み、ステップ１５０１で設定変更エディタは、最初に読み込んだ内容と、現在指定されている設定内容に変更があったかどうかの判定を行う。設定内容に変更が合った場合は、ステップ１５０５へ進み、新規のジョブ出力用設定ファイルを生成し、変更があったことをスプールファイルマネージャに通知して終了する。ステップ１５０５で、変更がないと判定された場合は、変更がなかったことをスプールファイルマネージャに通知して終了する。このように新規のジョブ出力用設定ファイルを生成するが、図１８のユーザインターフェイス画面において、「ＯＫ」ボタンが選択されることにより、新規のジョブ出力用設定ファイルが有効となり、古いジョブ出力用設定ファイルは削除される。また、ジョブ出力用設定ファイルからの変更ではなく、単体ジョブのジョブ設定ファイルの場合は削除せずに保存しておく。また、図１８の画面で「初期状態に戻す」ボタンが選択された場合は、新規のジョブ出力用設定ファイルを削除し、古いジョブ出力用設定ファイルが有効となり、表示に反映させる。本実施例では、設定変更エディタ３０７を別モジュールとして説明しているが、単にスプールファイルマネージャ３０４のユーザインターフェイスの一部であってもよい。設定変更エディタ３０７で実際に変更内容をジョブ出力用設定ファイルに書きこまずに、設定変更の内容のみをスプールファイルマネージャ３０４へと通知するだけで、実際のジョブ出力用設定ファイルの変更はスプールファイルマネージャ３０４側で行う実装形式でもよい。図３では、更に、複数印刷ジョブを結合し、一つの印刷ジョブとして印刷する拡張システムが図示されているが、結合ジョブをデスプール・プレビューするための拡張について説明する。通常、中間形式のスプールファイル３０３はジョブ単位で作成される。単独ジョブの場合は、処理対象ジョブファイル中の各論理ページの中間コードを順に読み出して処理を行うので、フィールド１４０１の論理ページIDは、各論理ページがファイルのどこに位置しているのかを示す相対あるいは絶対オフセットで実現可能である。結合ジョブの場合はフィールド１４０１のジョブIDから、スプールファイルと、そのジョブに属するページ情報を特定する必要がある。本実施例では、スプールファイルを識別するIDを論理ページIDに付加することで、スプールファイルを特定する方式とする。この場合、主な変更点はフィールド１４０１のみで済む。スプールファイルが識別できれば、ページ部分の読み込みは単独ジョブの処理と同じロジックで処理することが可能であるからである。また、スプールファイルが各論理ページ毎に別ファイルの形で保存されている場合は、論理ページのファイル名をそのままフィールド１４０１の論理ページIDとする実装形もある。図１９〜図２３はスプールファイルマネージャ３０４及び設定変更エディタ３０７における、本発明の印刷、表示処理方法及び装置を特徴づける部分の大まかな処理フローを表した図である。また、図２４〜図２５は設定変更エディタ３０７の一例である。これらを用いて本発明の概略を説明する。
【０１０７】
前記したようにスプールファイルマネージャ３０４上に複数の印刷ジョブがストアされた時、図１６のようにリスト表示され、動作指示待ちの状態になる。ここで、リスト上から複数ジョブを選択し、メニューやアイコンに設定された結合指示がされると、結合指示があったかの判定処理手段１９０１により結合指示があったと判定される。すると、設定変更エディタの起動処理手段１９０２により、図１８のような設定変更エディタ３０７が起動される。そして、前述したように、ジョブ出力用設定ファイル（図１０〜１４）が生成される。これは単に、図１６に中間ファイルでスプールされている印刷ジョブがリスト表示されている状態で、複数の印刷ジョブが選択され、「ジョブ結合」の指示がなされた場合に、指示された印刷ジョブを上から順に結合したものとなる。つまり、それぞれの単体ジョブのジョブ設定ファイル（ページレイアウト情報を有している）に基づいて、結合ジョブの物理ページ毎のページレイアウト情報をジョブ出力用設定ファイルに作成するのである。
【０１０８】
そして、図１８に示される印刷設定タブ及びプレビューの表示を行うために、次の初期レイアウト設定の取得処理１９０３が行われる。ここでいうレイアウトとは１物理ページにいくつの論理ページをどのような配置で置くかということであり、例えば、１物理ページに１論理ページを割り当てれば１up、１物理ページに２論理ページを割り当てれば２upという用語を使うことにする。この初期レイアウト設定の取得処理は結合時の初期レイアウトを決定するための処理である。初期レイアウトはそれぞれの印刷ジョブをそのまま保持したレイアウトをとっても、ある定められた法則によって統一されたレイアウトをとっても構わない。
【０１０９】
ある定められた法則には、スプールファイルマネージャ３０４上で最初に選択された印刷ジョブに合わせる、リスト上で先頭にある印刷ジョブに合わせる、複数の印刷ジョブの中で最も多いレイアウトに合わせる、デフォルトの設定として予め決められたレイアウトに合わせる等が考えられる。ここでは、初期レイアウトは統一されたものではなく、それぞれの印刷ジョブをそのまま保持したレイアウトを取ることにする。ジョブ出力用設定ファイルには、物理ページ単位でレイアウト情報を持つことができるので、このように元のジョブのページレイアウト情報を持たせることができ、結合時は結合前のジョブのページレイアウト情報をそのまま有効にできるのである。
【０１１０】
そして、レイアウト設定の表示処理手段１９０４により、図１８の印刷設定タブ上に初期レイアウトの状態が表示される。前期したように、ここではそれぞれの印刷ジョブをそのまま保持したレイアウトを取っているので(統一されたものではないので)、レイアウトは配置順等はグレー表示になっている。そして、物理ページ情報ファイルの作成処理１９０５が行われる。これは決定されたレイアウトにそって、図１０〜図１４に示される物理ページ情報ファイルを作成する処理である。この処理は後に詳細を記述することにする。この処理により作成された物理ページ情報ファイルをもとに、次のプレビュー表示処理１９０６が行われる。これは図１８に示されるプレビュー部分を表示する処理である。ここでは、それぞれの印刷ジョブをそのまま保持したレイアウトを取ることにしてあるので、図２４のように複数の印刷ジョブが結合される前のレイアウトを保ったまま、結合ジョブが形成され、表示が行われる。つまり、図２４では、ジョブ１は「１ページ／枚」の１論理ページであり、ジョブ２は「４ページ／枚」の４論理ページであり、ジョブ３は「１ページ／枚」の１論理ページである。そしてこれら３つのジョブから結合ジョブを作成した場合には、それぞれレイアウト情報は個別に保持しており、複数のレイアウトが混在した小プレビュー表示となる。また、ここで大プレビューを表示させても同様にレイアウトが混在したプレビューとなる。
【０１１１】
それでは、レイアウトの形成に関して、物理ページ情報ファイルの作成処理１９０５の詳細を説明する。
【０１１２】
まず、全物理ページ数の算出処理２１０１が行われる。これは結合ジョブが何物理ページを持つかを算出する処理で、ここでは、結合される前のジョブのレイアウトを保持するので、結合対象ジョブの全物理ページ数と同等となる。そして、物理ページ情報の算出処理２１０２が行われる。これは結合ジョブを構成する各物理ページ情報を作成する処理であり、その詳細は図２２で示される。
【０１１３】
物理ページ情報の算出処理では、最初に、割り付ける論理ページ数の算出処理２２０１が行われる。これは各物理ページに割り付けられる論理ページ数を算出する処理である。図２４で示される最初の物理ページであるならば、結合前のジョブと同等の１が算出される。そして、論理ページ情報の算出処理２２０２が行われる。これは、物理ページを示す各論理ページの情報を算出する処理であり、図１４で示されるような情報を算出する処理である。結合ジョブのジョブ出力用設定ファイルには、結合される前のジョブのレイアウトを保持するので、論理ページ情報は、その物理ページに対応する元のジョブの論理ページ情報と同じとなる。ただし、レイアウトの統一が行われた場合は統一後の１つのレイアウトに基づく論理ページ情報となる。その後、論理ページが終わりかの判定処理２２０３と論理ページカウンターのインクリメント２２０４が行われ、先に算出した論理ページ数だけ論理ページ情報の取得が行われるわけである。そして、物理ページ設定情報の算出処理２２０５が行われる。これは図１３で示される物理ページ設定情報が算出される処理であり、その詳細は図２３で示される。
【０１１４】
物理ページ設定情報の算出処理２２０５では、最初に両面印刷かの判定処理２３０１が行われる。これは印刷設定が片面印刷か、両面印刷かを判断する処理であり、ここで、両面印刷であると判定されれば、次の表・裏の書きこみ処理２３０２が行われる。これはこの物理ページが表側か裏側かを判定し、その書きこみを行う処理である。ここでは片面印刷を仮定し、この書きこみは行われないものとする。次に、カラー印刷かの判定処理２３０３が行われる。これは印刷設定がカラー印刷か、モノクロ印刷かを判断する処理であり、ここでカラー印刷であると判定されれば、次のカラー・モノクロの書きこみ処理２３０４が行われる。これはこの物理ページ中にカラーで印刷すべき論理ページが含まれているかを判定し、含まれていれば、カラー、含まれていなければ、モノクロを書きこむ処理である。ここではモノクロ印刷を仮定し、この書きこみは行われないこととする。このようにして、物理ページ設定情報が形成、取得される。
【０１１５】
そして、図２１に戻り、物理ページが終わりかの判定処理２１０３と物理ページカウンターのインクリメント処理２１０４により、先に取得した全物理ページ数分の物理ページ情報が算出さる。
【０１１６】
この一連の処理により、物理ページ情報ファイルの作成され、レイアウト形成が行われるわけである。
【０１１７】
また、設定変更エディタ３０７よりレイアウトの混在、統一を切り替えることが考えられる。
【０１１８】
ここでは、図１８のように、設定変更エディタ３０７の印刷設定タブに”レイアウトを統一”というチェックボックスを設けた例を示す。また、ここでは、結合の初期設定時はそれぞれの印刷ジョブをそのまま保持したレイアウトを取っているとし、実施例同様の操作（図１６において複数のジョブを選択し、ジョブ結合指示を行うこと）により、図２４のような結合設定がなされているものとする。
【０１１９】
まず、図２０で示すレイアウト統一の指示があったかの判定処理２００１が行われる。ユーザーが結合ジョブに対し、レイアウトの統一を所望した場合、図１８で示すようなユーザインターフェース上で「レイアウト統一」ボタンの押下により指示を行う。これにより、レイアウト統一の指示があったと判定される。次に、ページレイアウト、配置順、食い込み設定の取得処理２００２が行われる。これらの初期設定はある定められた法則に従って取得され、その法則は問わない。例えば、スプールファイルマネージャ３０４上で最初に選択された印刷ジョブに合わせる、リスト上で先頭にある印刷ジョブに合わせる、複数の印刷ジョブの中で最も多いレイアウトに合わせる、デフォルトの設定として予め決められたレイアウトに合わせる等が考えられる。ここでは、デフォルトの設定として予め決められたレイアウトに合わせるとし、４up、左上から右向き、ジョブ同士の食い込みを許すと決められているとする。ジョブ同士の食い込み（ページ詰め処理）は、例えば、４upで論理ページが３ページの場合は、残りの１ページ分の論理ページを詰めることができる。ここで、次のジョブの最初の論理ページをこの物理ページの最後にレイアウトするのか（食い込み指定）、別の物理ページの最初にレイアウトするのか（食い込みしない指定）、裏面の最初にレイアウトするのか（裏面食い込み指定）の選択ができる。
【０１２０】
そして、この設定に合わせて、物理ページ情報ファイルの編集処理２００３が行われる。これは決定されたレイアウトにそって、図１０〜図１４に示される物理ページ情報ファイルを編集する処理である。この処理は後に詳細を記述することにする。この処理により編集された物理ページ情報ファイルをもとに、次のプレビュー表示処理２００４が行われる。これは図１８に示されるプレビュー部分を表示する処理である。ここでは、４up、左上から右向き、ジョブ同士の食い込みを許すレイアウトを取ることにしてあるので、図２５のように、結合ジョブが形成され、表示が行われる。なお、ジョブ出力用設定ファイルには、すべての物理ページ情報（図１２）の物理ページに割り付ける論理ページ数ｎ１２０３には「４」が指定されている。
【０１２１】
それでは、レイアウトの形成に関して、ジョブ出力用設定ファイルの物理ページ情報ファイルの編集処理２００３の詳細を説明する。
【０１２２】
まず、全物理ページ数の算出処理２１０１が行われる。これは結合ジョブの「レイアウトの統一」指定により、何物理ページを持つかを算出し直す処理で、ジョブ同士の食い込みを許す設定であるならば、物理ページ数も変わってくる。ここでは、図２４から図２５の例を考えると、２物理ページということになる。そして、物理ページ情報の算出処理２１０２が行われる。これは結合ジョブを構成する各物理ページ情報を作成する処理であり、その詳細は図２２で示される。
【０１２３】
物理ページ情報の算出処理２１０２では、最初に、割り付ける論理ページ数の算出処理２２０１が行われる。これは各物理ページに割り付けられる論理ページ数を算出する処理である。図２５で示される最初の物理ページであるならば、レイアウトの統一により、所定の値、本実施例では「４」が算出される。前述したように、物理ページに割り付けられる論理ページ数は、結合ジョブの最初の単体ジョブのレイアウト情報に基づいて決定されてもよい。なおその場合は、ジョブ１は、「１」なので「１」となる。
【０１２４】
そして、論理ページ情報の算出処理２２０２が行われる。これは、物理ページを示す各論理ページの情報を算出する処理であり、図１４で示されるような情報を算出する処理である。その後、論理ページが終わりかの判定処理２２０３と論理ページカウンターのインクリメント２２０４が行われ、先に算出した論理ページ数だけ論理ページ情報の取得が行われ、論理ページ数が取得できるわけである。そして、物理ページ設定情報の算出処理２２０５が行われる。これは図１３で示される物理ページ設定情報が算出される処理であり、その詳細は図２３で示される。
【０１２５】
物理ページ設定情報の算出処理２２０５では、最初に両面印刷かの判定処理２３０１が行われる。これは印刷設定が片面印刷か、両面印刷かを判断する処理であり、ここで、両面印刷であると判定されれば、次の表・裏の書きこみ処理２３０２が行われる。これはこの物理ページが表側か裏側かを判定し、その書きこみを行う処理である。これは、両面印刷の場合、レイアウトの統一によって、表面、裏面に割り振られる論理ページが変わる可能性があるからである。ここでは片面印刷を仮定し、この書きこみは行われないものとする。
【０１２６】
次に、カラー印刷かの判定処理２３０３が行われる。これは印刷設定がカラー印刷か、モノクロ印刷かを判断する処理であり、ここでカラー印刷であると判定されれば、次のカラー・モノクロの書きこみ処理２３０４が行われる。これはこの物理ページ中にカラーで印刷すべき論理ページが含まれているかを判定し、含まれていれば、カラー、含まれていなければ、モノクロを書きこむ処理である。これも、レイアウトの統一によって、物理ページ中に含まれるカラーページが変わる可能性がある。ここではモノクロ印刷を仮定し、この書きこみは行われないこととする。
【０１２７】
このようにして、物理ページ設定情報が形成、取得される。ここで形成された物理ページ設定情報を含むジョブ出力用設定ファイルは、もとのレイアウトの統一を行う前のジョブ出力用設定ファイルのコピーを生成し、その生成されたジョブ出力用設定ファイルに書き込むことにより生成する。これにより、ジョブ編集のユーザインタフェース（図１８や図２４）において、「初期状態へ戻す」ボタンが押下された場合に、レイアウト統一を指示する前のジョブ出力用設定ファイルの内容に戻すことができる。また、ジョブ編集のユーザインタフェースにおいて、「ＯＫ」ボタンが押下された場合には、複製されて更新されたジョブ出力用設定ファイルは元のジョブ出力用設定ファイルに上書きされることにより、レイアウトを統一する前のジョブ出力用設定ファイルの内容は消える。ただし、図１６のユーザインタフェースにおいて、ユーザが結合ジョブを選択し、ジョブの分離を指示した場合には、それぞれの単体ジョブに分けられることになり、単体ジョブには各々ジョブ設定ファイルが常にスプールファイル３０３に保持されているので、一番元の印刷設定は常に保証されている。
【０１２８】
そして、図２１に戻り、物理ページが終わりか２１０３の判定処理と物理ページカウンターのインクリメント処理２１０４により、先に取得した全物理ページ数分の物理ページ情報が算出し直される。
【０１２９】
この一連の処理により、物理ページ情報ファイルの編集され、レイアウトの再形成が行われるわけである。なお、本発明は、複数の機器(例えばホストコンピュータ、インタフェイス機器、リーダ、プリンタなど）から構成されるシステムに適用しても、一つの機器からなる装置（複写機、プリンタ、ファクシミリ装置など）に適用してもよい。
【０１３０】
また、本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても、達成される。
【０１３１】
この場合、記憶媒体から読み出されたプログラムコード自体が前述した実施形態の機能を実現することになり、そのプログラムコードを記憶した記憶媒体は本発明を構成することになる。
【０１３２】
プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＤＶＤ、ＭＯ、ＲＯＭなどを用いることができる。
【０１３３】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【０１３４】
更に、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【０１３５】
また、本発明の目的は、前述した実施形態の機能を実現するソフトウェアのプログラムコードを、システムあるいは装置のコンピュータ（またはＣＰＵやＭＰＵ）にインストールし、そのインストールされたプログラムコードを読出し実行することによっても、達成される。
【０１３６】
この場合、インターネットのダウンロードサービス等でダウンロードされ、インストールされたプログラムコード自体が前述した実施形態の機能を実現することになり、そのプログラムコード自体は本発明を構成することになる。
【０１３７】
【発明の効果】
以上説明したように、本願発明は、印刷装置に送信すべき印刷データを生成する情報処理装置であって、アプリケーションにより生成された印刷すべきデータを中間コード形式の印刷ジョブに変換し、該印刷すべきデータのレイアウト情報と関連付けて一時保存する中間コード変換手段と、前記変換された複数の異なる印刷すべきデータに対応する複数の中間コード形式の印刷ジョブを結合して１つの結合ジョブにする結合指示をする結合指示手段と、前記結合指示手段により複数の印刷ジョブを１つの結合ジョブにする結合指示がなされた場合に、複数の印刷ジョブのレイアウト情報を含むジョブ設定情報に基づいて、前記複数の印刷ジョブのページレイアウトを維持している前記結合ジョブのレイアウト情報を含むジョブ出力用設定情報を生成する結合ジョブ情報生成手段と、前記結合ジョブに対してレイアウトを統一する指示がなされたか判定する判定手段と、前記判定手段によりレイアウトを統一する指示がなされたと判定された場合に、前記結合ジョブに含まれる複数の印刷ジョブのページレイアウトが統一されるように、前記ジョブ出力用設定情報を編集する編集手段とを有し、前記レイアウトを統一する指示がなされた場合には、前記ジョブ出力用設定情報に基づいて、複数の印刷ジョブのページレイアウトが統一された結合ジョブを生成し、前記レイアウトを統一する指示がなされない場合には、前記ジョブ出力用設定情報に基づいて、複数の印刷ジョブのページレイアウトの維持している結合ジョブを生成するので、結合ジョブにおいて複数のレイアウト情報を持たせることを可能とし、更に、結合ジョブに対して統一したレイアウト情報を持たせることを可能とする。
【０１３８】
また、前記結合ジョブ情報生成手段は、複数の印刷ジョブのレイアウト情報に基づいて、物理ページに割り付けられる論理ページが特定できるように前記結合ジョブのレイアウト情報を物理ページ単位に生成するので、物理ページ単位にレイアウト情報を持たせることを可能とする。
【０１３９】
また、前記結合ジョブのレイアウト情報を統一する統一指示をするレイアウト統一指示手段を更に有し、前記判定手段は、前記レイアウト統一指示手段からの統一指示が入力されることにより、前記結合ジョブに対してレイアウトを統一する指示がなされたと判定するので、複数のレイアウト情報を持った複数の印刷ジョブを結合した場合にも、結合ジョブに対してページレイアウトを統一する指示を行うことを可能とする。
【０１４０】
また、前記編集手段は、レイアウトを統一する指示がなされたと判定された場合に、複数の印刷ジョブ同士のページ詰処理に関する設定を取得して、前記ジョブ出力用設定情報を編集するので、バリエーションに富んだ論理ページの配置を可能とするので、ユーザの所望とする印刷ジョブの作成が容易となる。
【０１４１】
また、同一の物理ページに論理ページを詰める詰め配置指示と、同一の物理ページの裏面が空いている場合に裏面に論理ページを詰める裏面詰め配置指示と、元の印刷ジョブが異なれば常に物理ページを変更する詰め配置しない指示のいずれかを指示させる詰め配置指示手段を更に有するので、バリエーションに富んだ論理ページの配置を可能とするので、ユーザの所望とする印刷ジョブの作成が容易となる。
【０１４２】
また、前記結合ジョブのプレビューを表示するよう制御するプレビュー制御手段を更に有するので、印刷前に実際の出力結果をユーザに報知することを可能とする。
【図面の簡単な説明】
【図１】本発明の一実施例を示す印刷制御装置の構成を説明するブロック図である。
【図２】プリンタが接続されたホストコンピュータの典型的なプリントシステムの構成を示すブロック図である。
【図３】アプリケーションからの印刷命令をプリンタ制御コマンドに変換する前に、一旦中間コードスプールするプリントシステムの構成を示すブロック図である。
【図４】本発明におけるプリンタについて説明した図である。
【図５】スプーラ３０２における処理を示したフローチャートである。
【図６】スプールファイルマネージャ３０４における印刷制御について示したフローチャートである。
【図７】デスプーラ３０５における処理を示したフローチャートである。
【図８】印刷設定画面の一例である。
【図９】印刷スプール設定画面の一例である。
【図１０】スプールファイルマネージャ３０４からデスプーラ３０５に対して物理ページの印刷要求を行う際に渡すデータ形式の一例を示した図である。
【図１１】スプールファイルマネージャ３０４からデスプーラ３０５に対して物理ページの印刷要求を行う際に渡すデータ形式の一例を示した図である。
【図１２】スプールファイルマネージャ３０４からデスプーラ３０５に対して物理ページの印刷要求を行う際に渡すデータ形式の一例を示した図である。
【図１３】スプールファイルマネージャ３０４からデスプーラ３０５に対して物理ページの印刷要求を行う際に渡すデータ形式の一例を示した図である。
【図１４】スプールファイルマネージャ３０４からデスプーラ３０５に対して物理ページの印刷要求を行う際に渡すデータ形式の一例を示した図である。
【図１５】設定変更エディタ３０７における設定変更処理について示したフローチャートである。
【図１６】スプールファイルマネージャ３０４でスプールされている印刷ジョブ一覧を表示する画面の一例である。
【図１７】プレビューア３０６の画面の一例である。
【図１８】設定変更エディタ３０７の画面の一例である。
【図１９】スプールファイルマネージャ３０４におけるジョブ結合の処理フローの一例である。
【図２０】設定変更エディタ３０７におけるレイアウト変更の処理フローの一例である。
【図２１】ジョブ出力用設定ファイルの作成、変更の処理フローの一例である。
【図２２】物理ページ情報の算出処理フローの一例である。
【図２３】物理ページ設定情報の取得処理フローの一例である。
【図２４】設定変更エディタ３０７の画面の一例である。
【図２５】設定変更エディタ３０７の画面の一例である。
【符号の説明】
１  ＣＰＵ
２  ＲＡＭ
３  ＲＯＭ
４  システムバス
１２  ＣＰＵ
１３  ＲＯＭ
１９  ＲＡＭ
３０００  ホストコンピュータ
１５００  プリンタ
【図１】
0003673684.tif 000002
【図２】
0003673684.tif 000003
【図３】
0003673684.tif 000004
【図４】
0003673684.tif 000005
【図５】
0003673684.tif 000006
【図６】
0003673684.tif 000007
【図７】
0003673684.tif 000008
【図８】
0003673684.tif 000009
【図９】
0003673684.tif 000010
【図１０】
0003673684.tif 000011
【図１１】
0003673684.tif 000012
【図１２】
0003673684.tif 000013
【図１３】
0003673684.tif 000014
【図１４】
0003673684.tif 000015
【図１５】
0003673684.tif 000016
【図１６】
0003673684.tif 000017
【図１７】
0003673684.tif 000018
【図１８】
0003673684.tif 000019
【図１９】
0003673684.tif 000020
【図２０】
0003673684.tif 000021
【図２１】
0003673684.tif 000022
【図２２】
0003673684.tif 000023
【図２３】
0003673684.tif 000024
【図２４】
0003673684.tif 000025
【図２５】
0003673684.tif 000026